(57)【要約】【課題】  グラウンドゴルフ用クラブにおいて、打撃の際にヘッドが回転しないようにする。【解決手段】  ヘッド（１）の上方には、斜め方向に延びるシャフト（２）が設けられている。このシャフト（２）の中心軸（６）に対してトウ側部分（７）とヒール側部分（８）の重量が相違しているので、これらの重量をバランスさせる。バランスさせるためには、ヒール側部分（８）に木より比重の大きい重量付加部（９）を設けたり、トウ側部分（７）を軽くするため孔等の軽量化部（１０）を設ける。【選択図】      図３
0003109474.tif 000002
【実用新案登録請求の範囲】
【請求項１】
トウ側からヒール側にわたって打撃面を形成したヘッドと該ヘッドのほぼ中央から斜め上方に延びるシャフトを有するグラウンドゴルフ用クラブにおいて、上記シャフトの中心軸に対してヘッドのトウ側部分とヒール側部分の重量をバランスさせたことを特徴とするグラウンドゴルフ用クラブ。
【請求項２】
トウ側部分とヒール側部分の重量をバランスさせるため他方の部分に対して軽い方の部分に比重の大きい重量付加部を設けたことを特徴とする請求項１に記載のグラウンドゴルフ用クラブ。
【請求項３】
上記軽い方の部分は、ヒール側部分である請求項２に記載のグラウンドゴルフ用クラブ。
【請求項４】
トウ側部分とヒール側部分の重量をバランスさせるため他方の部分に対し重い方の部分のヘッドの一部に切欠、孔の軽量化部を設けたことを特徴とする請求項１または２に記載のグラウンドゴルフ用クラブ。
【請求項５】
上記重い方の部分は、トウ側部分である請求項４に記載のグラウンドゴルフ用クラブ。
【考案の詳細な説明】
【技術分野】
【０００１】
本考案は、直径約６０ｍｍの木製やプラスチック製のボールを打ってホールポストに入れるグラウンドゴルフ競技に使用するグラウンドゴルフ用クラブに関する。
【背景技術】
【０００２】
グラウンドゴルフ用クラブは、ルール上クラブやボールについての規定が定められている。例えば、２００３年の規則によれば、クラブはシャフトおよびヘッドからなる滑らかな木製とし、全長は５０ｃｍ以上１００ｃｍ以下であり、シャフトは真円で、その太さは３０ｍｍ以内と規定されている。また、ヘッドの横幅は最も長いところで１４ｃｍ以上１６ｃｍ以下、縦幅は最も広いところで７ｃｍ以上８ｃｍ以下、厚みは４ｃｍ以上４．５ｃｍ以下とし、打面に傾斜をつけてはならない。ただし、打面裏面にデザイン上の凹みを設けてもよいが、その範囲は厚みの２分の１を超えてはならない。なお一部分を金属や樹脂等で補強することは差し支えない、と規定されている。
【０００３】
そして、上記の規則に適合するよう種々の形態のグラウンドゴルフ用クラブが提供されており、打撃しやすいようにシャフトをヘッドのほぼ中央から斜め上方に設けたクラブが広く用いられている（例えば、特許文献１参照）。そのようなグラウンドゴルフ用クラブは、多くの場合、シャフトの中心軸に対してヘッドのトウ側部分とヒール側部分の大きさが相違しており、通常ヒール側部分に比べてトウ側部分が大きく形成されているので、該トウ側部分がヒール側部分に比べて重量がある。そのため、その重量差に基いて上記シャフトの中心軸まわりにヘッドが回転する傾向になりやすく、ボールをスィートスポットに当てて打撃したとしても、ヘッドが回転して打球が曲がってしまう原因となることがある。ヘッドが回転しないようにするには，シャフトを強くグリップすればよいが、グラウンドゴルフの競技者は握力の弱い人も多く、またグリップに力が入ると打球に距離感がなくなり、好ましいことではなかった。
【特許文献１】特開平１１−２６７２５８号公報（図１）
【考案の開示】
【考案が解決しようとする課題】
【０００４】
本考案の解決課題は、ヘッドのほぼ中央から斜め上方に延びるシャフトを設けたグラウンドゴルフ用クラブにおいて、打撃の際にヘッドが回転しないようにし、打球が直進するようにしたグラウンドゴルフ用クラブを提供することである。
【課題を解決するための手段】
【０００５】
本考案によれば、トウ側からヒール側にわたって打撃面を形成したヘッドと該ヘッドのほぼ中央から斜め上方に延びるシャフトを有するグラウンドゴルフ用クラブにおいて、上記シャフトの中心軸に対してヘッドのトウ側部分とヒール側部分の重量をバランスさせたことを特徴とするグラウンドゴルフ用クラブが提供され、上記課題が解決される。
【０００６】
上述のように、ヘッドの形態は、ルール規則の範囲内で種々に形成されるから、上記のようにトウ側部分とヒール側部分の重量バランスをとるためには、軽い方の部分に金属片その他の木材料より比重の大きい重量付加部を設けたり、重い方の部分に切欠、孔等の軽量化部を設けたりすることにより調整される。
【考案の効果】
【０００７】
本考案は上記のように構成され、ヘッドの上方に傾斜状態で設けたシャフトの中心軸に対してヘッドのトウ側部分とヒール側部分の重量がバランスしているから、クラブをスイングした際にヘッドが回転しないようにでき、シャフトを軽くグリップしても打球が曲がらないようにできる。
【考案を実施するための最良の形態】
【０００８】
図１は本考案の一実施例を示し、ヘッド（１）とシャフト（２）は木製で、該ヘッド（１）はトウ（３）側からヒール（４）側に延びる打撃面の長さが１４ｃｍ〜１６ｃｍに形成され、高さが７ｃｍ〜８ｃｍ、厚みが４ｃｍ〜４．５ｃｍに形成され、下面には、ソールプレート（５）が設けられている。シャフト（２）は、上記ヘッド（１）のほぼ中央から斜め上方に傾斜して延びている。
【０００９】
上記シャフト（２）の中心軸（６）に対して、トウ側部分（７）はヒール側部分（８）よりも大きく形成されており、トウ側部分（７）がヒール側部分（８）に比べて重量がある。そのため、図に示すように、打撃面の裏側の側面のヒール側部分（８）には、木より比重の大きい、例えば金属材料製の重量付加部（９）を設け、トウ側部分（７）の重量とほぼバランスするようにしてある。該重量付加部（９）としては、図に示す実施例では、金属柱を用い、これを埋設しているが、金属粒や硬質プラスチック材料、ガラス材料、鉱物材料その他適宜のものを用いることができ、また１ヶ所だけでなく、必要数を適宜個所に設けることもできる。また、埋設する代わりに適宜の重量付加部を表面に貼り付けたり、樹脂を含浸させたり、ソールプレートを延長して設けたり、該ソールプレートの厚さを部分的に変えたりすることもできる。
【００１０】
図２に示す実施例は、軽い部分に重量付加部を設ける代わりに、重い方の部分、すなわちトウ側部分（７）を軽くするよう軽量化部（１０）を形成し、ヒール側部分（８）の重量とほぼバランスするようにしてある。図に示す実施例では、軽量化部（１０）として孔を１つ設けてあるが、２つ以上形成することもできるし、ヘッドの形状自体を切欠いたり、部分的に肉薄に形成してもよい。
【００１１】
図３に示す実施例では、ヘッド（１）のトウ側部分（７）に孔を設けて軽量化部（１０）とし、ヒール側部分（８）に金属柱を埋設して重量付加部（９）を設けて両部分（７）、（８）の重量をほぼバランスさせてある。
【００１２】
上記のように重量付加部（９）や軽量化部（１０）を適所に配置することにより、ヘッド（１）のトウ側部分（７）とヒール側部分（８）の重量を、シャフト（２）の中心軸（６）に対してほぼバランスさせることができ、シャフトを水平に持ったときにもヘッドは回転しないから、クラブをスイングした際にヘッド（１）が回転しないようにできる。
【図面の簡単な説明】
【００１３】
【図１】本考案の一実施例を示し、打撃面の背面側からみた側面図。
【図２】他の実施例を示す側面図。
【図３】さらに他の実施例を示す側面図。
【符号の説明】
【００１４】
１    ヘッド
２    シャフト
６    中心軸
７    トウ側部分
８    ヒール側部分
９    重量付加部
１０    軽量化部
【図１】
0003109474.tif 000003
【図２】
0003109474.tif 000004
【図３】
0003109474.tif 000005